【手続補正書】
【提出日】平成18年7月26日(2006.7.26)
【手続補正１】
【補正対象書類名】特許請求の範囲
【補正対象項目名】全文
【補正方法】変更
【補正の内容】
【特許請求の範囲】
【請求項１】
ジカルボン酸残基の総モル数を基準にして８０．０から２０．０モルパーセントの芳香族ジカルボン酸残基；
ジカルボン酸残基の総モル数を基準にして２０．０から８０．０モルパーセントの脂肪族ジカルボン酸残基；
０．１から１０．０モルパーセントのスルホネート成分残基；
エチレングリコール残基、１，３−プロパンジオール残基、および１，４−ブタンジオール残基からなる群から選択される、グリコール残基の総モル数を基準にして９９．９から９１．０モルパーセントの第１のグリコール残基；
グリコール残基の総モル数を基準にして０．１から４．０モルパーセントのポリ（アルキレンエーテル）グリコール残基；
グリコール残基の総モル数を基準にして０から５．０モルパーセントの第２のグリコール残基；
０から５．０モルパーセントの多官能性の分岐剤残基；および
任意選択的に、好ましくは無機充填材であり、より好ましくは粘土を含む０．０１から８０重量パーセントの充填材
を含み、
好ましくは生分解性であることを特徴とするスルホン化脂肪族−芳香族コポリエーテルエステル。
【請求項２】
フィルム、シート、繊維、メルトブローン容器、成形部品、発泡部品、ポリマー溶融押出コーティング、またはポリマー溶液コーティングであることを特徴とする請求項１に記載のコポリエーテルエステルから形成される造形品。
【請求項３】
請求項１に記載のスルホン化脂肪族−芳香族コポリエーテルエステルの製造方法であって、芳香族ジカルボン酸またはそのエステル、脂肪族ジカルボン酸またはそのエステル、スルホネート成分、第１のグリコール、ポリ（アルキレンエーテル）グリコール、および任意選択的に少なくとも１種の第２のグリコールまたは多官能性の分岐剤または両方を接触させて、前記コポリエーテルエステルを製造する工程を含み、接触工程が溶融重合を含み、および接触工程より前に、接触工程と同時に、接触工程の後に、あるいはこれらの組み合わせにおいて、請求項１に記載の充填材を加える工程を任意選択的に含む方法を含むことを特徴とする方法。
【手続補正２】
【補正対象書類名】明細書
【補正対象項目名】０３０８
【補正方法】変更
【補正の内容】
【０３０８】
この試料を、示差走査熱量測定（ＤＳＣ）分析にかけた。結晶融解温度（Ｔｍ）は、１１５．９℃で認められた（１２．１Ｊ／ｇ）。
以下に、本発明の好ましい態様を示す。
［１］  ジカルボン酸残基の総モル数を基準にして８０．０から２０．０モルパーセントの芳香族ジカルボン酸残基；
ジカルボン酸残基の総モル数を基準にして２０．０から８０．０モルパーセントの脂肪族ジカルボン酸残基；
０．１から１０．０モルパーセントのスルホネート成分残基；
エチレングリコール残基、１，３−プロパンジオール残基、および１，４−ブタンジオール残基からなる群から選択される、グリコール残基の総モル数を基準にして９９．９から９１．０モルパーセントの第１のグリコール残基；
グリコール残基の総モル数を基準にして０．１から４．０モルパーセントのポリ（アルキレンエーテル）グリコール残基；
グリコール残基の総モル数を基準にして０から５．０モルパーセントの第２のグリコール残基；および
０から５．０モルパーセントの多官能性の分岐剤残基
を含むことを特徴とするスルホン化脂肪族−芳香族コポリエーテルエステル。
［２］  生分解性であることを特徴とする［１］に記載のコポリエーテルエステル。
［３］  ［１］に記載のコポリエーテルエステルおよび充填材を含むスルホン化脂肪族−芳香族コポリエーテルエステル充填材入り組成物であって、前記充填材が前記充填材入り組成物の０．０１から８０重量パーセントであることを特徴とする充填材入り組成物。
［４］  前記充填材が、無機充填材を含むことを特徴とする［３］に記載の充填材入り組成物。
［５］  前記充填材が、粘土充填材を含むことを特徴とする［３］に記載の充填材入り組成物。
［６］  生分解性であることを特徴とする［３］に記載の充填材入り組成物。
［７］  ［１］に記載のコポリエーテルエステルから形成される造形品。
［８］  フィルム、シート、繊維、メルトブローン容器、成形部品、発泡部品、ポリマー溶融押出コーティング、またはポリマー溶液コーティングである［７］に記載の造形品。
［９］  生分解性である［７］に記載の造形品。
［１０］  ［３］に記載の充填材入り組成物から形成される造形品。
［１１］  前記充填材が、無機充填材を含むことを特徴とする［１０］に記載の造形品。
［１２］  フィルム、シート、繊維、メルトブローン容器、成形部品、発泡部品、ポリマー溶融押出コーティング、またはポリマー溶液コーティングであることを特徴とする［１１］に記載の造形品。
［１３］  生分解性である［１１］に記載の造形品。
［１４］  前記充填材が、粘土充填材を含むことを特徴とする［１０］に記載の造形品。
［１５］  フィルム、シート、繊維、メルトブローン容器、成形部品、発泡部品、ポリマー溶融押出コーティング、またはポリマー溶液コーティングである［１４］に記載の造形品。
［１６］  生分解性である［１４］に記載の造形品。
［１７］  ［１］記載のスルホン化脂肪族−芳香族コポリエーテルエステルの製造方法であって、芳香族ジカルボン酸またはそのエステル、脂肪族ジカルボン酸またはそのエステル、スルホネート成分、第１のグリコール、およびポリ（アルキレンエーテル）グリコールを反応させて、前記コポリエーテルエステルを製造する工程を含むことを特徴とする方法。
［１８］  前記反応が、少なくとも１種の第２のグリコールおよび多官能性の分岐剤を反応させる工程をさらに含むことを特徴とする［１７］に記載の方法。
［１９］  前記反応工程が、溶融重合を含むことを特徴とする［１７］に記載の方法。
［２０］  ［３］に記載のスルホン化脂肪族−芳香族コポリエーテルエステル充填材入り組成物の製造方法であって、
芳香族ジカルボン酸またはそのエステル、脂肪族ジカルボン酸またはそのエステル、スルホネート成分、第１のグリコール、およびポリ（アルキレンエーテル）グリコールを反応させて前記コポリエーテルエステルを製造する工程、および
前記反応工程より前に、前記反応工程と同時に、前記反応工程の後に、あるいはこれらの組み合わせにおいて、前記充填材を加えて前記充填材入り組成物を製造する工程
を含むことを特徴とする方法。
［２１］  前記反応工程が、少なくとも１種の第２のグリコールおよび多官能性の分岐剤を反応させる工程をさらに含むことを特徴とする［２０］に記載の方法。
［２２］  前記充填材が、無機充填材を含むことを特徴とする［２０］に記載の方法。
［２３］  前記充填材が、粘土充填材を含むことを特徴とする［２０］に記載の方法。
［２４］前記コポリエーテルエステルから造形品を形成する工程を含むことを特徴とする［７］に記載の造形品の製造方法。
［２５］  前記造形品が、フィルム、シート、繊維、メルトブローン容器、成形部品、発泡部品、ポリマー溶融押出コーティング、またはポリマー溶液コーティングであることを特徴とする［２４］に記載の方法。
［２６］  前記充填材入り組成物から造形品を形成する工程を含むことを特徴とする［１０］に記載の造形品の製造方法。
［２７］  前記充填材が、無機充填材を含むことを特徴とする［２６］に記載の方法。
［２８］  前記充填材が、粘土充填材を含むことを特徴とする［２６］に記載の方法。
［２９］  前記造形品が、フィルム、シート、繊維、メルトブローン容器、成形部品、発泡部品、ポリマー溶融押出コーティング、またはポリマー溶液コーティングであることを特徴とする［２６］に記載の方法。